(57)【要約】【課題】　チャンネル特性に適応する直交周波数分割多重通信方法及びその装置を提供すること。【解決手段】　送信される送信シンボルの種類及び通信がなされるセル半径に応じて、送信シンボル長、フレームのフォーマット及び送信シンボルのフォーマットの少なくとも一つを変化させることを特徴とするチャンネル特性に適応する直交周波数分割多重通信方法を課題の解決手段とする。これにより、多様な環境にて低いビットエラー率及び高い効率で通信を行うことができ、特にチャンネル変化速度が速くてチャンネル長の長い環境において、通信の信頼性を向上することができ、第１シンボルをセル半径に関係なく同一に有するため、アソシエーション／ハンドオーバのような無線資源管理が容易にできる直交周波数分割多重通信装置を提供できる。【選択図】　　　図１
2004064793.tif 000002
【特許請求の範囲】
【請求項１】
　チャンネル特性に適応する直交周波数分割多重通信方法において、
　送信される送信シンボルの種類及び通信が行われるセル半径に応じて、前記送信シンボルの長さ、フレームのフォーマット及び前記送信シンボルのフォーマットのうち少なくとも一つを変化させること、
　を特徴とするチャンネル特性に適応する直交周波数分割多重通信方法。
【請求項２】
　前記チャンネル特性に適応する直交周波数分割多重通信方法は、
　（ａ）前記送信シンボルが制御チャンネルに使用するシンボルであるか否かを判断するステップと、
　（ｂ）前記送信シンボルが前記制御チャンネルに使用するシンボルであると判断すると、制御情報を有する第１シンボルを前記送信シンボルに決定するステップと、
　（ｃ）前記送信シンボルが前記制御チャンネルに使用するシンボルではないと判断すると、前記セル半径が第１所定サイズより大きいか否かを判断するステップと、
　（ｄ）前記セル半径が前記第１所定サイズより大きいと判断すると、チャンネル変化速度が遅くかつチャンネルの長さが長いチャンネル特性に適した第２シンボル又はチャンネル変化速度が速くかつチャンネルの長さが長いチャンネル特性に適した第３シンボルを、前記送信シンボルに決定するステップと、
　（ｅ）前記セル半径が前記第１所定サイズより大きくないと判断すると、前記セル半径が第２所定サイズより大きいか否かを判断するステップと、
　（ｆ）前記セル半径が前記第２所定サイズより大きいと判断すると、チャンネル変化速度とチャンネルの長さとが中間程度であるチャンネル特性に適した第４シンボルを前記送信シンボルに決定するステップと、
　（ｇ）前記セル半径が前記第２所定サイズより大きくないと判断すると、チャンネル変化速度が遅くかつチャンネルの長さが短いチャンネル特性に適した第５シンボルを前記送信シンボルに決定するステップとを備え、
　前記第２所定サイズは、前記第１所定サイズより小さく、前記第４シンボルの長さは前記第２シンボルの長さより短く、前記第１シンボル、前記第３シンボル及び前記第５シンボルそれぞれの長さは前記第４シンボルの長さより短いこと、
　を特徴とする請求項１に記載のチャンネル特性に適応する直交周波数分割多重通信方法。
【請求項３】
　前記第２シンボル、前記第３シンボル、前記第４シンボル及び前記第５シンボルそれぞれの長さは、前記第１シンボルの長さの整数倍であること、
　を特徴とする請求項２に記載のチャンネル特性に適応する直交周波数分割多重通信方法。
【請求項４】
　前記第２シンボル、前記第３シンボル及び前記第４シンボルそれぞれの長さは、前記第５シンボルの長さの整数倍であること、
　を特徴とする請求項２に記載のチャンネル特性に適応する直交周波数分割多重通信方法。
【請求項５】
　前記ステップ（ｂ）、前記ステップ（ｄ）、前記ステップ（ｆ）または前記ステップ（ｇ）は、
　搬送波の数を変化させて前記送信シンボルの長さを調整し、前記第１シンボル、前記第２シンボル、前記第３シンボル、前記第４シンボルまたは前記第５シンボルを、前記送信シンボルに決定すること、
　を特徴とする請求項２に記載のチャンネル特性に適応する直交周波数分割多重通信方法。
【請求項６】
　前記チャンネル特性に適応する直交周波数分割多重通信方法は、
　（ｈ）前記セル半径が第１所定サイズより大きいか否かを判断するステップと、
　（ｉ）前記セル半径が前記第１所定サイズより大きいと判断すると、前記フレームのフォーマットをマクロ形態のフォーマットに変換するステップと、
　（ｊ）前記セル半径が前記第１所定サイズより大きくないと判断すると、前記セル半径が第２所定サイズより大きいか否かを判断するステップと、
　（ｋ）前記セル半径が前記第２所定サイズより大きいと判断すると、前記フレームのフォーマットをマイクロ形態のフォーマットに変換するステップと、
　（ｌ）前記セル半径が前記第２所定サイズより大きくないと判断すると、前記フレームのフォーマットをピコ形態のフォーマットに変換するステップとを備え、
　前記第１所定サイズは、前記第２所定サイズより大きいこと、
　を特徴とする請求項１に記載のチャンネル特性に適応する直交周波数分割多重通信方法。
【請求項７】
　前記ステップ（ｄ）は、
　前記セル半径が前記第１所定サイズより大きいと判断すると、前記第２シンボル又は前記第３シンボルを前記送信シンボルに決定し、前記フレームのフォーマットをマクロ形態のフォーマットに変換して、
　前記ステップ（ｆ）は、
　前記セル半径が前記第２所定サイズより大きいと判断すると、前記第４シンボルを前記送信シンボルに決定し、前記フレームのフォーマットをマイクロ形態のフォーマットに変換して、
　前記ステップ（ｇ）は、
　前記セル半径が前記第２所定サイズより大きくないと判断すると、前記第５シンボルを前記送信シンボルに決定し、前記フレームのフォーマットをピコ形態のフォーマットに変換すること、
　を特徴とする請求項２に記載のチャンネル特性に適応する直交周波数分割多重通信方法。
【請求項８】
　前記マクロ形態のフォーマットは、
　制御情報を有する第１シンボルと、
　チャンネル変化速度が遅くかつチャンネルの長さが長いチャンネル特性に適した第２シンボルと、
　チャンネル変化速度が速くかつチャンネルの長さが長いチャンネル特性に適した第３シンボルとを備えること、
　を特徴とする請求項６に記載のチャンネル特性に適応する直交周波数分割多重通信方法。
【請求項９】
　前記マイクロ形態のフォーマットは、
　制御情報を有する第１シンボルと、
　チャンネル変化速度とチャンネルの長さとが中間程度であるチャンネル特性に適した第４シンボルとを備えること、
　を特徴とする請求項６に記載のチャンネル特性に適応する直交周波数分割多重通信方法。
【請求項１０】
　前記ピコ形態のフォーマットは、
　制御情報を有する第１シンボルと、
　チャンネル変化速度が遅くかつチャンネルの長さが短いチャンネル特性に適した第５シンボルとを備えること、
　を特徴とする請求項６に記載のチャンネル特性に適応する直交周波数分割多重通信方法。
【請求項１１】
　前記ステップ（ｄ）は、
　（ｄ１）前記セル半径が前記第１所定サイズより大きいと判断すると、チャンネルの変化速度が所定速度より速いか否かを判断するステップと、
　（ｄ２）前記チャンネルの変化速度が前記所定速度より速くないと判断すると、前記第２シンボルを前記送信シンボルに決定するステップと、
　（ｄ３）前記チャンネルの変化速度が前記所定速度より速いと判断すると、前記第３シンボルを前記送信シンボルに決定するステップとを備えること、
　を特徴とする請求項２に記載のチャンネル特性に適応する直交周波数分割多重通信方法。
【請求項１２】
　前記ステップ（ｄ２）において、前記送信シンボルに決定される前記第２シンボルは、
　送信データの後部分を有する第１循環接頭部と、
　前記送信データを有する第１送信信号部と、
　前記送信データの前部分を有する第１循環接尾部とを備えること、
　を特徴とする請求項１１に記載のチャンネル特性に適応するＯＦＤＭ通信方法。
【請求項１３】
　前記ステップ（ｄ３）において、前記送信シンボルに決定される前記第３シンボルは、
　送信データの後部分と前記送信データの前部分とを有する第２循環接頭部と、
　前記送信データを有する第２送信信号部と、
　前記送信データを有する第３送信信号部と、
　前記前部分を有する第２循環接尾部とを備えること、
　を特徴とする請求項１１に記載のチャンネル特性に適応する直交周波数分割多重通信方法。
【請求項１４】
　前記第３シンボルは、
　前記後部分を有する第３循環接頭部と、
　前記送信データを有する第４送信信号部と、
　前記送信データを有する第５送信信号部と、
　前記前部分を有する第３循環接尾部とを備えること、
　を特徴とする請求項１１に記載のチャンネル特性に適応する直交周波数分割多重通信方法。
【請求項１５】
　チャンネル特性に適応する直交周波数分割多重通信装置において、
　送信される送信シンボルの種類を検査し、この検査した結果を第１制御信号として出力するシンボル検査部と、
　通信がなされるセル半径及び前記第１制御信号に応じ、前記送信シンボルの長さ、フレームのフォーマット及び前記送信シンボルのフォーマットのうち少なくとも一つを変化させるシンボル・フォーマット変換部とを備えること、
　を特徴とするチャンネル特性に適応する直交周波数分割多重通信装置。
【請求項１６】
　前記シンボル・フォーマット変換部は、
　前記第１制御信号に応じ、前記セル半径と第１所定サイズとを比較し、この比較した結果を第２制御信号として出力する第１比較部と、
　前記第２制御信号に応答して前記セル半径と第２所定サイズとを比較し、この比較した結果を第３制御信号として出力する第２比較部と、
　前記第１制御信号、前記第２制御信号及び前記第３制御信号に応じて、第１シンボル、第２シンボル、第３シンボル、第４シンボル又は第５シンボルを、前記送信シンボルに決定し、この決定したシンボルを出力する第１変換部とを備え、
　前記第２所定サイズは、前記第１所定サイズより小さく、前記第１シンボルは制御情報を有し、前記第２シンボルはチャンネル変化速度が遅くかつチャンネルの長さが長いチャンネル特性に適し、前記第３シンボルはチャンネル変化速度が速くかつチャンネルの長さが長いチャンネル特性に適し、前記第４シンボルはチャンネル変化速度とチャンネルの長さとが中間程度であるチャンネル特性に適し、前記第５シンボルはチャンネル変化速度が遅くかつチャンネルの長さが短いチャンネル特性に適すること、
　を特徴とする請求項１５に記載のチャンネル特性に適応する直交周波数分割多重通信装置。
【請求項１７】
　前記シンボル・フォーマット変換部は、
　前記セル半径と第１所定サイズとを比較し、この比較した結果を第４制御信号として出力する第３比較部と、
　前記第４制御信号に応じ、前記セル半径と第２所定サイズとを比較し、この比較した結果を第５制御信号として出力する第４比較部と、
　前記第４制御信号及び前記第５制御信号に応じて、前記フレームのフォーマットをマクロ形態もしくはマイクロ形態またはピコ形態のフォーマットに変換する第２変換部とを備え、
　前記第１所定サイズは前記第２所定サイズより大きいこと、
　を特徴とする請求項１５に記載のチャンネル特性に適応する直交周波数分割多重通信装置。
【請求項１８】
　前記第１変換部は、
　前記第２制御信号及び前記第３制御信号に応じて、前記フレームのフォーマットをマクロ形態もしくはマイクロ形態またはピコ形態のフォーマットに変換することを特徴とする請求項１６に記載のチャンネル特性に適応する直交周波数分割多重通信装置。
【請求項１９】
　前記第１変換部は、
　前記第２制御信号に応じて、チャンネルの変化速度と所定速度とを比較し、この比較した結果を第６制御信号として出力する第５比較部と、
　前記第６制御信号に応じて、前記決定したシンボルのフォーマットを変換するフォーマット変換部とを備えること、
　を特徴とする請求項１６に記載のチャンネル特性に適応する直交周波数分割多重通信装置。
【発明の詳細な説明】
【技術分野】
【０００１】
　本発明は、直交周波数分割多重（ＯＦＤＭ：Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）通信に係り、特にチャンネル特性に適応する直交周波数分割多重通信方法及びその装置に関する。
【背景技術】
【０００２】
　通信方式の適用環境が多様化にともない、一つの通信方式で、ドップラ周波数とチャンネル長とが変化した場合であっても通信可能な通信方式が要求されている。しかし、チャンネルの変化速度とチャンネル長とに応じて、最適な物理階層が異なるために、一つの物理階層だけを用いた通信方式では効率的に通信することは難しかった。これを解決するために、多種のセルを有する階層的なセルを、通信方式に適用する方法が提案されている。
【０００３】
　前記した階層的なセルを使用する場合、各階層に該当するユーザごとに異なるチャンネル特性を有している。例えば、セル半径が大きい場合、チャンネル長が長くなり、チャンネルの変化速度が速くなる。したがって、階層ごとに同じ変調方式を使用すると、チャンネル特性に適応することができない。これを解決するために、従来の通信方式はチャンネルの変化速度の遅い場合に直交周波数分割多重通信を使用し、チャンネルの変化速度が速い場合にコード分割多重接続を利用していた。このような、従来の通信方式を用いた場合、端末機に種類の異なる２つのモデムを備える必要があり、端末機の送受信部が複雑な構造となり、異なるスペクトル特性を有する信号を使用するための通信方式の展開を困難にし、ハンドオーバ／アソシエーションのような無線資源管理を困難にするという問題点を有していた。
【発明の開示】
【発明が解決しようとする課題】
【０００４】
　したがって、本発明が解決しようとする技術的課題は、送信シンボル長、送信シンボルのフォーマット及びフレームのフォーマットの少なくとも一つをチャンネルの変化速度とチャンネル長のようなチャンネル特性に応じて最適に変化させることができるチャンネル特性に適応する直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ：以下、ＯＦＤＭと表記する）通信方法を提供することである。
【０００５】
　また、本発明が解決しようとする他の技術的課題は、前記チャンネル特性に適応するＯＦＤＭ通信方法を行うチャンネル特性に適応するＯＦＤＭ通信装置を提供することである。
【課題を解決するための手段】
【０００６】
　前記課題を解決するために成された本発明に係るチャンネル特性に適応するＯＦＤＭ通信方法は、送信される送信シンボルの種類及び通信がなされるセル半径に応じて、前記送信シンボル長、フレームのフォーマット及び前記送信シンボルのフォーマットの少なくとも一つを変化させる。
【０００７】
　また、前記課題を解決するために成された本発明に係るチャンネル特性に適応するＯＦＤＭ通信装置は、送信される送信シンボルの種類を検出し、検出した結果を第１制御信号として出力するシンボル検査部及び通信がなされるセル半径及び前記第１制御信号に応じ、前記送信シンボル長、フレームのフォーマット及び前記送信シンボルのフォーマットのうち少なくとも一つを変化させるシンボル及びフォーマット変換部より構成される。
【発明の効果】
【０００８】
　本発明に係るチャンネル特性に適応する直交周波数分割多重通信方法及びその装置によると、チャンネル変化速度とチャンネル長のようなチャンネル特性に応じて、送信シンボル長、送信シンボルのフォーマット及びフレームのフォーマットの少なくとも一つを最適に変化させることで、多様な通信環境において、低いビットエラー率及び高い効率での通信が行える端末機を容易に具現でき、特にチャンネル変化速度が速くてチャンネル長の長い環境において通信の信頼性を向上することができ、第１シンボルをセル半径に関係なく同一に有することで、アソシエーション／ハンドオーバのような無線資源管理を容易にする効果を奏する。
【発明を実施するための最良の形態】
【０００９】
　以下、添付した図面を参照しながら、本発明に係るチャンネル特性に適応するＯＦＤＭ通信方法の実施の形態を説明する。
【００１０】
　本実施の形態のチャンネル特性に適応するＯＦＤＭ通信方法は、送信する送信シンボルの種類及び通信がなされるセル半径に応じて、送信シンボル長、フレームのフォーマット及び送信シンボルのフォーマットの少なくとも一つを変化させる。
【００１１】
　ここで、チャンネル変化は、ｆｄＴｓ（ここで、ｆｄはＨｚの単位を有するドップラ周波数を示し、Ｔｓは秒単位を有するシンボル持続期間である。）として表記され、ＯＦＤＭシンボル長を掛け合わせたドップラ周波数により計測される。ｆｄＴｓが０．０１より小さい場合は、計測性能に対するチャンネル変化の影響は無視してもよく、ｆｄＴｓが０．０１より大きい場合はその影響を考慮する必要がある。一般的に、チャンネル変化速度はｆｄＴｓが０．０１より大きい時には速くなる。
【００１２】
　これと同様に、チャンネル長は、チャンネルの遅延スプレッドにより計測される。ここで、遅延スプレッドとは、受信機に最初の信号成分が到達した時から受信機に最終の信号成分が到達するまでの時間遅延のことであり、例えば、最初の信号が受信機に到達して０．０１秒後に最終の信号が受信機に到達すると、チャンネル長は０．０１秒となる。また、チャンネル長が長い、中間、又は短いというのは、相対的にチャンネル長を記述するために産業上活用される相対的な長さの上でのことである。例えば、初期のシンボル長が０．１ｍｓｅｃであれば、０．１ｍｓｅｃを有するチャンネルは、長いチャンネル長と見なされ、０．０１ｍｓｅｃのチャンネルは中間程度のチャンネル長と見なされ、０．００１ｍｓｅｃのチャンネルは短いチャンネル長と見なされる。すなわち、チャンネル長を初期のＯＦＤＭシンボル長で除算した結果、１０％以上ならば、長いチャンネル長と見なされる。
【００１３】
[第１実施例]
　例えば、図１は、本実施の形態のチャンネル特性に適応するＯＦＤＭ通信方法の第１実施例を説明するためのフローチャートであり、送信シンボルの種類とセル半径とにより送信シンボルの長さを決定するステップ（ステップ１０〜ステップ２２）からなる。
【００１４】
　また、図２は、多様な長さを有するシンボルが混じった単位フレーム４０の一例を示す図面であり、第１シンボル４２及び４４、第２シンボル５０及び５２、第３シンボル５４、５６、５８及び６０、第４シンボル４８及び第５シンボル４６より構成される。
【００１５】
　本実施例では、図１に示したチャンネル特性に適応するＯＦＤＭ通信方法は、送信する送信シンボルの種類及び通信がなされるセル半径に応じて送信シンボル長を変化させる。
【００１６】
　最初に、本実施例のＯＦＤＭ通信方法は、送信シンボルが制御チャンネルに使用するシンボルであるか否かを判断する（ステップ１０）。ここで、送信シンボルが制御チャンネルに使用するシンボルであると判断すると、第１シンボルを送信シンボルに決定する（ステップ１２）。ここで、図２に示した第１シンボル４２または４４は、制御情報を有するシンボルであり、長さＡを有している。すなわち、送信シンボルが制御チャンネルに使用するシンボルであると判断すると、送信シンボル長をＡに決定する。このように、ランダムアクセスや制御などのように多量のデータを使用する必要がない場合、または時間を細かく分ける必要がある場合、送信シンボル長は、比較的短い長さに相当するＡに決定される。
【００１７】
　また、ステップ１０において、送信シンボルが、制御チャンネルに使用するシンボルではないと判断すると、セル半径が第１所定サイズより大きいか否かを判断する（ステップ１４）。ここで、セル半径が第１所定サイズより大きいと判断すると、第２シンボルまたは第３シンボルを送信シンボルに決定する（ステップ１６）。ここで、図２に示した第２シンボル５０または５２は、チャンネル変化速度が遅くてチャンネル長の長いチャンネル特性に適したシンボルであって長さＢを有している。また、第３シンボル５４は、チャンネル変化速度が速くてチャンネル長の長いチャンネル特性またはチャンネルの変化速度が速くてチャンネル長の短いチャンネル特性に適したシンボルであって長さＣを有している。すなわち、セル半径が第１所定サイズより大きいと判断すると、送信シンボル長をＢまたはＣと決定する。なお、送信シンボルを第２シンボルにするか、第３シンボルにするかの判断は後記して説明する。
【００１８】
　また、ステップ１４において、セル半径が、第１所定サイズより大きくないと判断すると、セル半径が第２所定サイズより大きいか否かを判断する（ステップ１８）。この、第２所定サイズは、第１所定サイズより小さな値である。ここで、セル半径が第２所定サイズより大きいと判断すると、第４シンボルを送信シンボルに決定する（ステップ２０）。ここで、図２に示した第４シンボル４８は、チャンネル変化速度とチャンネル長とが中間程度であるチャンネル特性に適したシンボルであって、長さＤを有している。すなわち、セル半径が第１所定サイズより大きくなく、第２所定サイズより大きいと判断すると、送信シンボル長をＤに決定する。
【００１９】
　また、ステップ１８において、セル半径が第２所定サイズより大きくないと判断すると、第５シンボルを送信シンボルに決定する（ステップ２２）。ここで、図２に示した第５シンボル４６は、チャンネル変化速度が遅くてチャンネル長の短いチャンネル特性に適したシンボルであって、長さＥを有している。すなわち、セル半径が第２所定サイズより大きくないと判断すると、送信シンボル長をＥに決定する。
【００２０】
　本実施例によれば、第４シンボル４８の長さＤは、第２シンボル５０の長さＢより短く、第１シンボル４２、第３シンボル５４及び第５シンボル４６のそれぞれの長さＡ、Ｃ及びＥは第４シンボル４８の長さＤより短い。さらに、第２シンボル５０、第３シンボル５４、第４シンボ４８ル及び第５シンボル４６のそれぞれの長さＢ、Ｃ、Ｄ及びＥは第１シンボル４２の長さＡの整数倍に相当し、第２シンボル５０、第３シンボル５４及び第４シンボル４８のそれぞれの長さＢ、Ｃ及びＤは第５シンボル４６の長さＥの整数倍に相当する。
【００２１】
　また、図１に示すように送信シンボル長を変化させる場合に、全体信号帯域幅を固定させて搬送波の数を変化させることも可能である。ここで、全体信号帯域幅とは、搬送波間の間隔を送信シンボル長で除算した値である。例えば、搬送波の数を増やしつつ全体の信号帯域幅を固定すれば、搬送波間の距離が遠くなるが送信シンボル長は長くなる。これと反対に、搬送波の数を減らしつつ全体の信号帯域幅を固定すれば、搬送波間の距離が狭くなるがシンボル長は短くなる。このように、ステップ１２、ステップ１６、ステップ２０またはステップ２２では、搬送波の数を調整して送信シンボル長を変化させることも可能である。
【００２２】
[第２実施例]
　図３は本実施の形態のチャンネル特性に適応するＯＦＤＭ通信方法の第２実施例を説明するためのフローチャートであり、セル半径によりフレームのフォーマットを変換させるステップ（ステップ７０〜ステップ７８）よりなる。
【００２３】
　ここで、図４は、マクロ形態のフォーマットの例を示す図面であり、単位フレーム９０は第１シンボル、第２シンボル及び第３シンボルより構成されている。
【００２４】
　また、図５は、マイクロ形態のフォーマットの別の例を示す図面であり、単位フレーム９２は第１シンボルと第４シンボルとより構成される。
【００２５】
　また、図６は、ピコ形態のフォーマットの例を示す図面であり、単位フレーム９４は第１シンボルと第５シンボルとより構成される。
【００２６】
　本実施例では、図３に示したチャンネル特性に適応するＯＦＤＭ通信方法は、通信がなされるセル半径に応じてフレームのフォーマットを変化させる。
【００２７】
　最初に、セル半径が第１所定サイズより大きいか否かを判断する（ステップ７０）。ここで、セル半径が第１所定サイズより大きいと判断すると、フレームのフォーマットを図４に示したマクロ形態のフォーマットに変化させる（ステップ７２）。ここで、図４に示すようにマクロ形態のフォーマットは、第１シンボル、第２シンボル及び第３シンボルから構成される。すなわち、チャンネルの変化速度が速いまたは遅く、セル半径が大きく、チャンネル長が長い場合、フレームのフォーマットを図４に示したマクロ形態のフォーマットに変化させる。
【００２８】
　また、ステップ７０において、セル半径が第１所定サイズより大きくないと判断すると、セル半径が第２所定サイズより大きいか否かを判断する（ステップ７４）。前記と同様に、第２所定サイズは第１所定サイズより小さな値である。ここで、セル半径が第２所定サイズより大きいと判断すると、フレームのフォーマットを図５に示したマイクロ形態のフォーマットに変化させる（ステップ７６）。ここで、図５に示したようにマイクロ形態のフォーマットは第１シンボルと第４シンボルとから構成される。すなわち、チャンネルの変化速度とチャンネル長とが中間程度の場合、フレームのフォーマットをマイクロ形態のフォーマットに変化させる。
【００２９】
　また、ステップ７４において、セル半径が第２所定サイズより大きくないと判断すると、フレームのフォーマットを図６に示したピコ形態のフォーマットに変化させる（ステップ７８）。ここで、図６に示したようにピコ形態のフォーマットは、第１シンボルと第５シンボルとから構成される。したがって、チャンネルの変化速度が遅く、セル半径が小さく、チャンネル長の短い場合、フレームをピコ形態のフォーマットに変化させる。
【００３０】
　ここで、図７は、図１に示したステップ１６を具体的に説明するためのフローチャートであり、チャンネル変化速度に応じて、送信シンボルを第２シンボルまたは第３シンボルに決定するステップ（ステップ１１０〜ステップ１１４）からなる。図７を参照すると、まず、図１のステップ１４において、セル半径が第１所定サイズより大きいと判断すると、チャンネルの変化速度が所定速度より速いか否かを判断する（ステップ１１０）。
【００３１】
　ここで、チャンネルの変化速度が所定速度より速くないと判断すると、図２に示した第２シンボル５０を送信シンボルに決定する（ステップ１１２）。すなわち、送信シンボル長をＢに決定する。また、チャンネルの変化速度が所定速度より速いと判断すると、図２に示した第３シンボル５４を送信シンボルに決定する（ステップ１１４）。すなわち、送信シンボル長をＣに決定する。
【００３２】
[第３実施例]
　次に、本発明の第３実施例では、送信シンボルの種類及びセル半径に応じて、送信シンボル長とフレームのフォーマットとを変化させる。
【００３３】
　このために、図１を参照して、セル半径が第１所定サイズより大きいと判断すると、第２シンボルまたは第３シンボルを送信シンボルに決定し、フレームのフォーマットを図４に示したマクロ形態のフォーマットに変化させる（ステップ１６）。また、セル半径が第１所定サイズより大きくなく、第２所定サイズよりは大きいと判断すると、第４シンボルを送信シンボルに決定して、フレームのフォーマットを図５に示したマイクロ形態のフォーマットに変化させる（ステップ２０）、また、セル半径が第２所定サイズより大きくないと判断すると、第５シンボルを送信シンボルと決定して、フレームのフォーマットを図６に示したピコ形態のフォーマットに変化させる（ステップ２２）。
【００３４】
　ここで、図８は階層的なセルの構造を示す図面であり、マクロセル１３０、マイクロセル１３２及びピコセル１３４より構成される。
【００３５】
　図８を参照すると、第１所定サイズより大きい半径を有するセルは点線で表示されたマクロセル１３０に相当する。また、第１所定サイズより大きくなく、第２所定サイズより大きい半径を有するセルは太い実線で表示されたマイクロセル１３２に相当する。また、第２所定サイズより大きくない半径を有するセルは細い実線で表示されたピコセル１３４に相当する。図８に示した階層的セルは、周波数資源が限定されている場合に周波数効率を上げるために使用される。図８に示すように各マクロセル１３０内部にいくつかのマイクロセル１３２が包合され、各マイクロセル１３２内部にいくつかのピコセル１３４が包合される。一般的にマクロセル１３０には、チャンネルの変化速度の速いユーザが集まるようにし、マイクロセル１３２やピコセル１３４には、チャンネルの変化速度の遅いユーザが集まるようにする。これについては、Ｊｅｎｓ　Ｚａｎｄｅｒ，Ｓｅｏｎｇ−Ｌｙｕｎ　Ｋｉｍ（２００１）：Ｒａｄｉｏ　Ｒｅｓｏｕｒｃｅ　Ｍａｎａｇｅｍｅｎｔ　ｆｏｒ　ｗｉｒｅｌｅｓｓ　ｎｅｔｗｏｒｋｓ，Ａｒｔｅｃｈ　ｈｏｕｓｅｒ．，ｐｐ．３０１−３０４．に開示されている。
【００３６】
[実施例４]
　次に、図９は、一般的な多重搬送波送信シンボルの一例を示す図面であり、第１循環接頭部（ＣＰ：Ｃｙｃｌｉｃ Ｐｒｅｆｉｘ）１５０、第１送信信号部１５８及び第１循環接尾部（ＣＳ：Ｃｙｃｌｉｃ Ｓｕｆｆｉｘ）１５４より主に構成されている。
【００３７】
　本実施の形態の第４実施例では、セル半径及びチャンネルの変化速度に応じてシンボル長を変化させて、さらにシンボルのフォーマットを変化させる。
【００３８】
　このために、図７を参照して、ステップ１１０において、チャンネルの変化速度が所定速度より速くないと判断すると、第２シンボルを送信シンボルに決定して、送信シンボルに決定された第２シンボルのフォーマットを図９に示すように変化させる（ステップ１１２）。図９に示した送信シンボルの第１循環ＣＰ１５０は、第１送信信号部１５８の後部分１５２を第１送信信号部１５８の先端に複写することで作成され、先行シンボルからの干渉を除去するために使われる。また、第１循環ＣＳ１５４は、第１送信信号部１５８の前部分１５６を第１送信信号部１５８の後端に複写することで作成され、主に上向きチャンネルにおいて複数のユーザが搬送波を分けて使用する場合に伝送時間の整列条件を緩和するために使われる。ここで、第１送信信号部１５８は送信データを保持している。このように、送信データ１５８の後部分１５２が第１循環ＣＰ１５０に複写され、送信データ１５８の前部分１５６が第１循環ＣＳ１５４に複写されているため、図９に示した送信シンボルは循環形態となる。
【００３９】
　図１０は多重搬送波送信シンボルの別の例を示す図面であり、第２循環ＣＰ１７０、第２送信信号部１７２、第３送信信号部１７４及び第２循環ＣＳ１７６より構成される。
【００４０】
　図１１は、多重搬送波送信シンボルのさらに別の例を示す図面であり、第３循環ＣＰ１９０、第４送信信号部９２、第５送信信号部１９４及び第３循環ＣＳ１９６より構成される。
【００４１】
　ここで、チャンネルの変化速度が所定速度より速いと判断すると、第３シンボルを送信シンボルに決定して、この送信シンボルと決定された第３シンボルのフォーマットを図１０または図１１に示したように変化させる（ステップ１１４）。
【００４２】
　本実施例によると、図１０に示した第３シンボルの第２循環ＣＰ１７０は、第２送信信号１７２及び第３送信信号部１７４それぞれに保存された送信データの後部分と送信データの前部分とを含んでいる。すなわち、第２循環ＣＰ１７０は、２つの図９に示した第１循環ＣＰ１５０と１つの第１循環ＣＳ１５４とから構成される。また、図１０に示した第２送信信号部１７２及び第３送信信号部１７４それぞれは図９に示した第１送信信号部１５８に保存された送信データと同じ送信データを有している。ただし、図９とは異なり、図１０に示された送信シンボルは、第２循環ＣＰ１７０の次に送信データを反復して有している。また、第２循環ＣＳ１７６は、送信データの前部分を有している。すなわち、第２循環ＣＳ１７６は、図９に示した第１循環ＣＳ１５４と同一である。
【００４３】
　また本実施例によると、図１１に示した第３シンボルの第３循環ＣＰ１９０は、第４送信信号部９２及び第５送信信号部１９４それぞれに保存された送信データの後部分を有している。すなわち、第３循環ＣＰ１９０は、２つの図９に示した第１循環ＣＰ１５０を有して構成される。また、図１１に示した第４送信信号部９２及び第５送信信号部１９４それぞれは、図９に示した第１送信信号部１５８に保存された送信データと同じ送信データを有している。ただし、図９とは異なり、図１１に示した送信シンボルは、第３循環ＣＰ１９０の次に送信データを反復して有している。また、第３循環ＣＳ１９６は、送信データの前部分を有する。すなわち、第３循環ＣＳ１９６は、２つの図９に示した第１循環ＣＳ１５４を有して構成される。図１１に示した送信シンボルは、ランダムアクセスのように全体的なタイミングがうまく合わない場合に使われる。
【００４４】
　したがって、ＯＦＤＭ通信方法において、第１循環ＣＰ１５０の長さはチャンネル長より長くなければならない。しかし、第１循環ＣＰ１５０に重複した情報が包合されているために第１循環ＣＰ１５０の長さを第１送信信号部１５８に保存された送信データの長さで割った値が大きい場合は通信効率が低下する可能性がある。そのため、通信効率を維持するために、送信データの長さは第１循環ＣＰ１５０の長さの５倍ないし１０倍とすることが望ましい。よって、送信シンボルにおいて、第１循環ＣＰ１５０が占める長さはできる限り短くしなければならない。この時、チャンネルの変化速度が速く、送信シンボル長が長い場合、送信データの内部でチャンネルが変わって通信性能が低下してしまう。このように、チャンネル長が長いほど第１循環ＣＰ１５０を長くしなければならないが、第１循環ＣＰ１５０を長くするには限界があり、これを解決するために、前記した本発明係るＯＦＤＭ通信方法は、図１に示すように、チャンネルの変化速度とセル半径とにより送信シンボル長を最適に変化させている。このように送信シンボル長を最適に変化させて、第１循環ＣＰ１５０によるオーバヘッドの程度を固定させたままシンボル間の干渉の影響を解決することができる。
【００４５】
[ＯＦＤＭ通信装置]
　以下、前記したチャンネル特性に適応するＯＦＤＭ通信方法を行う、本実施の形態におけるチャンネル特性に適応するＯＦＤＭ通信装置の構成及び動作を、添付した図面を参照して説明する。
【００４６】
　ここで、例えば、図１２は、本実施の形態におけるＯＦＤＭ通信装置のブロック図であり、シンボル検査部２１０及びシンボル及びフォーマット変換部２１２より構成される。図１２に示したＯＦＤＭ通信装置のシンボル検査部２１０は、図１に示したステップ１０を行うために、入力端子ＩＮ１を介して入力された送信シンボルの種類を検査し、検査された結果を第１制御信号Ｃ１としてシンボル及びフォーマット変換部２１２に出力する。例えば、シンボル検査部２１０は入力端子ＩＮ１を介して入力された送信シンボルが制御チャンネルに使用するシンボルであるか否かを検査し、検査された結果を第１制御信号Ｃ１として出力する。
【００４７】
　また、図１に示したステップ１２〜ステップ２２を行うために、シンボル及びフォーマット変換部２１２は、入力端子ＩＮ２を介して入力されたセル半径及びシンボル検査部２１０から入力された第１制御信号Ｃ１に応じて、送信シンボル長、フレームのフォーマット及び送信シンボルのフォーマットのうち少なくとも一つを変化させ、変化させた結果を、出力端子ＯＵＴ１を介して出力する。ここで、送信シンボル長、フレームのフォーマット及び送信シンボルのフォーマットのうちいずれを変換させるかは事前に決定さている。
【００４８】
　以下、図１２に示したシンボル及びフォーマット変換部２１２の実施例について、それぞれ、構成及び動作を説明する。
【００４９】
[第５実施例]
　例えば図１３は、図１２に示したシンボル及びフォーマット変換部２１２をさらに詳細に説明するブロック図であり、第１比較部２３０、第２比較部２３２及び第１変換部２３４より構成される。
【００５０】
　図１３に示したシンボル及びフォーマット変換部２１２Ａの第１比較部２３０は、図１に示したステップ１４を行うために、図１２に示したシンボル検査部２１０から入力された第１制御信号Ｃ１に応じて、入力端子ＩＮ３を介して入力されたセル半径と第１所定サイズとを比較し、比較した結果を第２制御信号Ｃ２として第２比較部２３２及び第１変換部２３４にそれぞれ出力する。すなわち、第１比較部２３０は、シンボル検査部２１０から入力された第１制御信号Ｃ１により送信シンボルが制御チャンネルに使用するシンボルではないと認識すると、セル半径と第１所定サイズとを比較する。ここで、第１所定サイズは図１３に示すように予め第１比較部２３０に登録しておいてもよく、図１３に示したものとは異なり、外部から入力してもよい。
【００５１】
　そして、第２比較部２３２は、図１に示したステップ１８を行うために、第１比較部２３０から入力された第２制御信号Ｃ２に応じてセル半径と第２所定サイズとを比較し、比較した結果を第３制御信号Ｃ３として第１変換部２３４に出力する。例えば、第２比較部２３２は第１比較部２３０から入力された第２制御信号Ｃ２によりセル半径が第１所定サイズより大きくないと認識すると、セル半径と第２所定サイズとを比較し、比較された結果を第３制御信号Ｃ３として出力する。ここで、第２所定サイズは、図１３に示したように予め第２比較部２３２に登録しておいてもよく、図１３に示したのとは異なり外部から入力してもよい。
【００５２】
　第１変換部２３４は、図１に示したステップ１２、ステップ１６、ステップ２０及びステップ２２を行うために、シンボル検査部２１０から入力された第１制御信号Ｃ１、第１比較部２３０から入力された第２制御信号Ｃ２及び第２比較部２３２から入力された第３制御信号Ｃ３に応じて、第１シンボル、第２シンボル、第３シンボル、第４シンボルまたは第５シンボルを送信シンボルに決定し、決定されたシンボルを、出力端子ＯＵＴ２を介して出力する。例えば、第１変換部２３４は図１のステップ１２を行うために、シンボル検査部２１０から入力された第１制御信号Ｃ１により送信シンボルが制御チャンネルに使用するシンボルであると認識すると、送信シンボル長をＡに決定する。しかし、第１変換部２３４はステップ１６を行うために、第１制御信号Ｃ１及び第２制御信号Ｃ２により送信シンボルが制御チャンネルに使用するシンボルではなくてセル半径が第１所定サイズより大きいと認識すると、送信シンボル長をＢまたはＣに決定する。また、第１変換部２３４はステップ２０を行うために、第１制御信号Ｃ１、第２制御信号Ｃ２及び第３制御信号Ｃ３により送信シンボルが制御チャンネルに使用するシンボルではない時、セル半径が第１所定サイズより大きくなくて第２所定サイズより大きいと認識すると、送信シンボル長をＤに決定する。また、第１変換部２３４は、ステップ２２を行うために、第１制御信号Ｃ１、第２制御信号Ｃ２及び第３制御信号Ｃ３により送信シンボルが制御チャンネルに使用するシンボルではない時、セル半径が第１所定サイズより大きくなくてセル半径が第２所定サイズより大きくないと認識される時に送信シンボル長をＥに決定する。
【００５３】
[第６実施例]
　次に、例えば図１４は、図１２に示したシンボル及びフォーマット変換部２１２の第６実施例であるシンボル及びフォーマット変換部２１２Ｂのブロック図であり、第３比較部２５０、第４比較部２５２及び第２変換部２５４より構成される。
【００５４】
　図１４に示したシンボル及びフォーマット変換部２１２Ｂは、図３に示したＯＦＤＭ通信方法を行う役割を果たす。図１４に示したシンボル及びフォーマット変換部２１２Ｂの第３比較部２５０は、図３に示したステップ７０を行うために、入力端子ＩＮ４を介して入力されたセル半径と第１所定サイズとを比較し、比較した結果を第４制御信号Ｃ４として第４比較部２５２及び第２変換部２５４にそれぞれ出力する。この時、第１所定サイズは図１４に示したように予め第３比較部２５０に登録しておいてもよく、図１４に示したものとは異なり、外部から入力してもよい。
【００５５】
　図３に示したステップ７４を行うために、第４比較部２５２は、第３比較部２５０から入力された第４制御信号Ｃ４に応じて、入力端子ＩＮ４を介して入力されたセル半径と第２所定サイズとを比較し、比較した結果を第５制御信号Ｃ５として第２変換部２５４に出力する。例えば、第３比較部２５０から入力された第４制御信号Ｃ４によりセル半径が第１所定サイズより大きくないと認識すると、第４比較部２５２は、セル半径と第２所定サイズとを比較し、比較した結果を第５制御信号Ｃ５として出力する。
【００５６】
　ステップ７２、ステップ７６及びステップ７８を行う第２変換部２５４は、第３比較部２５０から入力された第４制御信号Ｃ４及び第４比較部２５２から入力された第５制御信号Ｃ５に応じて、フレームのフォーマットをマクロ形態、マイクロ形態またはピコ形態のフォーマットに変化させて、この変化させたフォーマットを有するフレームを、出力端子ＯＵＴ３を介して出力する。例えば、ステップ７２を行うために、第２変換部２５４は、第４制御信号Ｃ４によりセル半径が第１所定サイズより大きいと認識すると、フレームのフォーマットを図４に示したマクロ形態のフォーマットに変化させる。また、ステップ７６を行うために、第２変換部２５４は、第４制御信号Ｃ４及び第５制御信号Ｃ５によりセル半径が第１所定サイズより大きくなくて第２所定サイズより大きいと認識すると、フレームのフォーマットを図５に示したマイクロ形態のフォーマットに変化させる。さらに、ステップ７８を行うために、第２変換部２５４は、第４制御信号Ｃ４及び第５制御信号Ｃ５によりセル半径が第１所定サイズ及び第２所定サイズより小さいと認識すると、フレームのフォーマットを図６に示したピコ形態のフォーマットに変化させる。
【００５７】
　なお、本実施の形態のＯＦＤＭ通信装置の図１２に示されたシンボル及びフォーマット変換部２１２は、図１に示したステップ１２〜ステップ２２を行うために図１３に示したシンボル及びフォーマット変換部２１２Ａを設け、図３に示したＯＦＤＭ通信方法を行うために図１４に示したシンボル及びフォーマット変換部２１２Ｂを設けて、組合せた構成とすることも可能である。
【００５８】
[第７実施例]
　さらに、図１２に示したシンボル及びフォーマット変換部２１２に、図１に示したステップ１２〜ステップ２２及び図３に示したＯＦＤＭ通信方法を行うために図１３に示したシンボル及びフォーマット変換部２１２Ａだけを設けた構成により対応することも可能である。この場合、図１３に示したシンボル及びフォーマット変換部２１２Ａは、図１に示したステップ１２〜ステップ２２及び図３に示されたＯＦＤＭ通信方法を全て行うこととなる。このために、例えば、第１比較部２３０及び第２比較部２３２は、図１に示したステップ１４及びステップ１８を行うだけではなく、図３に示したステップ７０及びステップ７４をそれぞれ行う役割を果たし、第１変換部２３４は、ステップ１２、ステップ１６、ステップ２０及びステップ２２を行うだけではなく、ステップ７２、ステップ７６及びステップ７８を行う役割を果たす。すなわち、第１変換部２３４は、第１比較部２３０及び第２比較部２３２からそれぞれ入力された第２制御信号Ｃ２及び第３制御信号Ｃ３に応じて、フレームのフォーマットをマクロ形態、マイクロ形態またはピコ形態のフォーマットに変化させ、この変化させたフォーマットを有するフレームを、出力端子ＯＵＴ２を介して出力する。例えば、ステップ７２を行うために、第１変換部２３４は、第２制御信号Ｃ２によりセル半径が第１所定サイズより大きいと認識すると、フレームのフォーマットを図４に示したマクロ形態のフォーマットに変化させる。また、ステップ７６を行うために、第１変換部２３４は、第２制御信号Ｃ２及び第３制御信号Ｃ３によりセル半径が第１所定サイズより大きくなくて第２所定サイズより大きいと認識すると、フレームのフォーマットを図５に示したマイクロ形態のフォーマットに変化させる。さらに、ステップ７８を行うために、第１変換部２３４は、第２制御信号Ｃ２及び第３制御信号Ｃ３によりセル半径が第１所定サイズ及び第２所定サイズより小さいと認識すると、フレームのフォーマットを図６に示したピコ形態のフォーマットに変化させる。
【００５９】
　ここで、図１５は、本実施例の図１３に示した第１変換部２３４を詳細に示したブロック図であり、第５比較部２７０及びフォーマット変換部２７２より構成される。
【００６０】
　図１３に示した第１変換部２３４は、図７に示したステップ１１０を行うために、図１５に示した、第５比較部２７０を設ける。この場合、第５比較部２７０は、第１比較部２３０から入力された第２制御信号Ｃ２に応じて、チャンネルの変化速度と所定速度とを比較して比較した結果を第６制御信号Ｃ６として出力する。例えば、第２制御信号Ｃ２によりセル半径が第１所定サイズより大きいと認識すると、第５比較部２７０は、チャンネルの変化速度と所定速度とを比較して、比較した結果を第６制御信号Ｃ６として出力する。この時、第１変換部２３４のフォーマット変換部２７２は、第５比較部２７０から入力された第６制御信号Ｃ６に応じて、決定されたシンボルのフォーマットを変化させ、この変化されたフォーマットを有するシンボルを、出力端子ＯＵＴ２を介して出力する。また、例えば、第５比較部２７０から入力された第６制御信号Ｃ６によりチャンネルの変化速度が所定速度より速くないと認識すると、フォーマット変換部２７２は、ステップ１１２を行うために、送信シンボルのフォーマットを図９に示すように変化させる。また、第５比較部２７０から入力された第６制御信号Ｃ６によりチャンネルの変化速度が所定速度より速いと認識すると、フォーマット変換部２７２は、ステップ１１４を行うために、送信シンボルのフォーマットを、図１０または図１１に示すフォーマットのように変化させる。
【００６１】
　次に、全体信号帯域幅が２０ＭＨｚの場合に、前記した本実施の形態によるチャンネル特性に適応するＯＦＤＭ通信方法及びその装置を用いることで、次に示す表１のような結果が得られる。
【００６２】
【表１】
2004064793.tif 000003
【００６３】
　ここで、Ｔｓは送信シンボル長を示す時間であり、Ｔｇは保護時間を示し、循環ＣＳの単位はμｍであり、ｂｐｓは時間当たりビット数を表している。
【００６４】
　本実施の形態のＯＦＤＭ通信方法及びその装置は、表１から分かるように、搬送波数を変えて送信シンボル長Ｔｓを調整して多様な通信環境に適用することができる。このように多様な通信環境に適用できるように送信シンボルを調整する理由は次の通りである。
【００６５】
　例えば、Ｊ．Ｐｒｏａｋｉｓ（１９９５）：Ｄｉｇｉｔａｌ　Ｃｏｍｍｕｎｉｃａｔｉｏｎｓ，ＭｃＧｒａｗ　Ｈｉｌｌ．に開示されたチャンネルＶｅｈ　Ｂ，ｆｒｏｍ　ＴＲ　１０１　１４６　ｖ３．０を利用して、搬送波数が４０９６であり、全体の信号帯域幅が１８ＭＨｚであり、スプレッド因子（ＳＦ：Ｓｐｒｅａｄ　Ｆａｃｔｏｒ）が４であると仮定する。
【００６６】
　図１６はドップラ周波数の変化に対するビットエラー率（ＢＥＲ：Ｂｉｔ Ｅｒｒｏｒ Ｒａｔｅ）の変化を説明するグラフであり、縦軸はＢＥＲを示し、横軸はＥｂ／Ｎｏをそれぞれ示している。ここで、Ｅｂは１ビット当たりのエネルギーを示し、Ｎｏは雑音の分散を示している。
【００６７】
　ドップラ周波数、すなわちチャンネル変化速度が１７である場合（グラフ中で黒星で示す）よりチャンネル変化速度が１７０（グラフ中で黒四角で示す）である場合にＢＥＲがさらに大きく、チャンネル変化速度が１７０である場合（グラフ中で黒四角で示す）よりチャンネル変化速度が５００である場合（グラフ中で黒三角で示す）にＢＥＲがさらに大きい。つまり、図１６から分かるように、チャンネル変化速度が高いほどＢＥＲは大きくなる。
【００６８】
　一方、ＳＦが１であり、ドップラ周波数が５００であり、Ｖｅｈ＿Ｂチャンネルの代わりにＶｅｈ＿Ａチャンネルを使用することを除いて前述した仮定をそのまま適用した場合の搬送波数の変化によるＢＥＲの変化を説明する。ここで、チャンネルＶｅｈ＿Ａ及びＶｅｈ＿ＢについてはＥＴＳＩ（Ｅｕｒｏｐｅａｎ　Ｔｅｌｅｃｏｍｍｕｎｉｃａｔｉｏｎｓ　Ｓｔａｎｄａｒｄｉｚａｔｉｏｎ　Ｉｎｓｔｉｔｕｔｅ）傘下のＵＭＴＳ（Ｕｎｉｖｅｒｓａｌ　Ｍｏｂｉｌｅ　Ｔｅｌｅｃｏｍｍｕｎｉｃａｔｉｏｎ　Ｓｙｓｔｅｍ）から発表された技術報告書１０１１１２の「Ｓｅｌｅｃｔｉｏｎ　ｐｒｏｃｅｄｕｒｅｓ　ｆｏｒ　ｔｈｅ　ｃｈｏｉｃｅ　ｏｆ　ｒａｄｉｏ　ｔｒａｎｓｍｉｓｓｉｏｎ　ｔｅｃｈｎｏｌｏｇｉｅｓ」ｐｐ．４３のテーブル１．２．２．３に開示されている。
【００６９】
　図１７は搬送波数の変化によるＢＥＲの変化を説明するグラフであり、縦軸はＢＥＲを示して横軸はＥｂ／Ｎｏをそれぞれ示す。
【００７０】
　図１７において、搬送波数が１０２４である場合（グラフ中で黒三角で示す）より搬送波の数が２０４８である場合（グラフ中で黒四角で示す）にＢＥＲがさらに大きくなり、搬送波の数が２０４８である場合（グラフ中で黒四角で示す）より搬送波の数が４０９６である場合（グラフ中で黒星で示す）にＢＥＲがさらに大きくなった。つまり、図１７から分かるように、搬送波数を４０９６から１０９６に減らしてシンボル長を狭めると、ドップラ周波数の影響を小さくしてＢＥＲを小さくすることができる。したがって、図１０または図１１のように送信データを２回反復すれば、チャンネル長の変化による影響を小さくしながらチャンネル間の干渉を解決することができる。
【図面の簡単な説明】
【００７１】
【図１】本発明によるチャンネル特性に適応するＯＦＤＭ通信方法の一実施例を説明するためのフローチャートである。
【図２】多様な長さを有するシンボルが混ざった単位フレームの一例を示す図面である。
【図３】本発明によるチャンネル特性に適応するＯＦＤＭ通信方法の他の実施例を説明するためのフローチャートである。
【図４】マクロ形態のフォーマットの例示的な図面である。
【図５】マイクロ形態のフォーマットの例示的な図面である。
【図６】ピコ形態のフォーマットの例示的な図面である。
【図７】図１に示された第１６段階についての本発明による望ましい一実施例を説明するためのフローチャートである。
【図８】階層的セルの構造を示す図面である。
【図９】一般的な多重搬送波送信シンボルの一例を示す図面である。
【図１０】多重搬送波送信シンボルの他の例を示す図面である。
【図１１】多重搬送波送信シンボルのさらに他の例を示す図面である。
【図１２】前述したＯＦＤＭ通信方法を行う本発明によるＯＦＤＭ通信装置のブロック図である。
【図１３】図１２に示されたシンボル及びフォーマット変換部の本発明による一実施例のブロック図である。
【図１４】図１２に示されたシンボル及びフォーマット変換部の本発明による他の実施例のブロック図である。
【図１５】図１３に示された第１変換部のブロック図である。
【図１６】ドップラ周波数の変化によるＢＥＲの変化を説明するためのグラフである。
【図１７】搬送波数の変化によるＢＥＲの変化を説明するためのグラフである。
【符号の説明】
【００７２】
　４０　　単位フレーム
　４２、４４　第１シンボル
　４６　　第５シンボル
　４８　　第４シンボル
　５０、５２　第２シンボル
　５４、５６、５８、６０　第３シンボル
【図１】
2004064793.tif 000004
【図２】
2004064793.tif 000005
【図３】
2004064793.tif 000006
【図４】
2004064793.tif 000007
【図５】
2004064793.tif 000008
【図６】
2004064793.tif 000009
【図７】
2004064793.tif 000010
【図８】
2004064793.tif 000011
【図９】
2004064793.tif 000012
【図１０】
2004064793.tif 000013
【図１１】
2004064793.tif 000014
【図１２】
2004064793.tif 000015
【図１３】
2004064793.tif 000016
【図１４】
2004064793.tif 000017
【図１５】
2004064793.tif 000018
【図１６】
2004064793.tif 000019
【図１７】
2004064793.tif 000020